(57)【要約】      （修正有）【課題】トイレで速やかに用を足すことのできる水着を提供する。【解決手段】水着Ｍの下方の股部１には、切断部２および着脱部３が設けられている。切断部２においては、水着の生地が切断されており（切り離されており／分離されており／分割されており）、当該切断部２より上の生地と下の生地とに分かれている。着脱部３は、その上と下の生地を繋ぎ止める部位である。本実施形態において、着脱部３は、上の生地に固定された４つのボタンを、下の生地に開けられた４つのボタン穴に掛けることによって、上の生地と下の生地とを繋ぎ止めるように構成されている。【選択図】図１
0003167816.tif 000002
【実用新案登録請求の範囲】
【請求項１】
水着であって、股部の生地を切断し、この切断部を着脱可能とする着脱部を設け、股部を開閉可能とした水着。
【請求項２】
前記着脱部を前記水着の前身頃側に設けた請求項１に記載の水着。
【請求項３】
前記切断部を股布の端部に配置した請求項１又は２に記載の水着。
【請求項４】
前記着脱部をボタンによる着脱構造とした請求項１，２又は３に記載の水着。
【請求項５】
前記着脱部を覆うスカートを備えた請求項１，２，３又は４に記載の水着。
【考案の詳細な説明】
【技術分野】
【０００１】
本考案は、水着に関する。
【背景技術】
【０００２】
本願出願人は、水着および水着用スカートの実用新案登録出願を行い、実用新案登録を得ている（特許文献１）。当該出願では、水着のスカートが水圧により捲れないように、スカートに複数のスリットを設ける構造を提案した。
【０００３】
一方、水着は、水に濡れると脱ぎにくくなり、トイレで用を足す際に水着を速やかに脱ぐことができず、時間がかかるという不都合がある。このため、学校のように大勢の泳者が同時にトイレに行くことがあると、トイレが渋滞し行列になることもあった。
【先行技術文献】
【特許文献】
【０００４】
【特許文献１】登録実用新案第３１１７７８３号公報
【考案の概要】
【考案が解決しようとする課題】
【０００５】
本願では、かかる不都合を改善し、トイレで速やかに用を足すことのできる水着を提供することを課題とする。
【課題を解決するための手段】
【０００６】
本願では上記課題を解決するため、以下の手段を採用する。
１．水着であって、股部の生地を切断し、この切断部を着脱可能とする着脱部を設け、股部を開閉可能とした水着。
２．前記着脱部を前記水着の前身頃側に設けた１の水着。
３．前記切断部を股布の端部に配置した１又は２の水着。
４．前記着脱部をボタンによる着脱構造とした１、２又は３の水着。
５．前記着脱部を覆うスカートを備えた１、２、３又は４の水着。
【考案の効果】
【０００７】
本考案によれば、水着の股部に設けた着脱部を外して股部の生地を切断部から開くことができるので、水着を着たまま速やかにトイレで用を足すことができる。
【図面の簡単な説明】
【０００８】
【図１】図１は、本考案の水着の正面図。
【図２】図２は、図１の水着の使用状態図。
【図３】図３は、本考案の水着に好適なスカートの構造を説明するための説明図。
【図４】図４は、図３の水着の正面図。
【図５】図５は、図３の水着の背面図。
【考案を実施するための形態】
【０００９】
以下、本考案の実施形態を図１および図２に基づいて説明する。
【００１０】
図１は、本考案による水着を前身頃の側から見た正面図である。本実施形態において、水着Ｍはワンピースの水着であるが、水着のデザインは問わない。例えばツーピースの水着でもよい。水着の下方の股部１には、切断部２および着脱部３が設けられている。切断部２においては、水着の生地が切断されており（切り離されており／分離されており／分割されており）、当該切断部２より上の生地と下の生地とに分かれている。着脱部３は、その上と下の生地を繋ぎ止める部位である。本実施形態において、着脱部３は、上の生地に固定された４つのボタンを、下の生地に開けられた４つのボタン穴に掛けることによって、上の生地と下の生地とを繋ぎ止めるように構成されている。
【００１１】
この着脱部３のボタンを外して股部１の下方の生地を開くと、図２に示す状態となる。この図２に示すように、水着Ｍの生地は、切断部２，２において上下に分かれており、上の生地の切断部２の近傍に設けられたボタンと、下の生地の切断部２の近傍に設けられたボタン穴とによって、着脱部３が構成されている。
【００１２】
股部１の生地を開いた内側には股布４（クロッチ／シック部）が設けられているが、本実施形態において、下側の生地の切断部２は、この股布４の端部に配置されている。このため、水着の生地に対する股布４の縫合と同時に、切断部２の端部の縫合を行うことができ、それぞれを別々に縫合する場合に比べ、製造工程を少なくすることができる。
【００１３】
水泳中は、図１のように着脱部２を閉じた状態で使用し、トイレで用を足す際は、図２のように着脱部３を開いて用を足すことができる。このため、水着が濡れていても、水着を脱がずに速やかに用を足すことができる。
【００１４】
本実施形態では、切断部２および着脱部３を前身頃の側に設けているが、後ろ見頃の側に設けることも可能である。また、前身頃と後ろ身頃との境界に配置することも可能である。着脱部３はボタンをボタン穴に掛ける構造としたが、これに限らず、例えばスナップボタンやファスナーによる着脱構造としてもよい。水着Ｍの胸部には内部に胸パッドを取り付けてもよい。
【００１５】
本願考案によると、以上説明したように水着Ｍの股部に着脱部３を設けることとなるが、この着脱部３は外観上目立たないほうが望ましい。そこで、水着Ｍの股部１を隠すスカートを取り付けることを以下に提案する。
【００１６】
［第２実施形態］
以下、本考案の実施形態を図面を参照しつつ説明する。本実施形態による水着は、外観上は図４に示すようになるが、この形態が構成される過程を、図３に基づいて説明する。本実施形態の水着Ｍは、前述した実施形態と同一の股部１の構成を有するが、その部分の重複した説明は省略する。
【００１７】
図３では（ｂ）が水着Ｍの正面図を示しており、（ａ）は水着Ｍの省略した平面図を示している。この水着Ｍに装着するスカートの生地として、前垂れ１１と、後垂れ１２とを１枚ずつ用意し、かつ、横垂れ１３を２枚用意する。そして、前垂れ１１を水着Ｍの腹側に縫付け、後垂れ１２を水着Ｍの背側に縫付け、２枚の横垂れ１３はそれぞれ右と左の脇腹側に縫付ける。縫い付けは、生地の上端部のみを行う。これにより、４枚の垂れにより、ウエスト以下の部分の周回に沿った暖簾状のスカートが構成される。このとき、前垂れ１１と横垂れ１３の端部を互いに重ねるようにし、かつ、後垂れ１２と横垂れ１３の端部も互いに重ねるようにする。そのような適したサイズの生地を予め用意する。
【００１８】
そして、この暖簾状スカートを、本実施形態では１段だけでなく、上下方向に３段重ねて設ける。図中符号ｓは縫付け部を示しているが、胸部に近い１段目と、腰部以下の３段目と、その間の腹部の２段目との３箇所に上述した暖簾状スカートを縫付ける。このとき、各段のスカートの重ね順は、１段目が一番表、３段目が一番水着寄り、その間に２段目を配置する。そして、１段目の暖簾状スカートの下端部は２段目の暖簾状スカートの一部と重なるようにし、また、２段目の暖簾状スカートの下端部は３段目の暖簾状スカートの一部と重なるようにし、そして、３段目の暖簾状スカートの下端部は水着の下端までを隠すように配置する。そのような適したサイズの生地を予め用意する。
【００１９】
スカートの生地は、薄手で、柔らかく、伸縮性があり、通水性と通気性があり、乾きやすい素材の採用が好ましい。
【００２０】
このように構成すると、本実施形態による水着の正面図は、図４のように現れ、また、背面図は、図５のように現れる。ここで、図では、前垂れ１１と後垂れ１２よりも横垂れ１３を短めに描いているが、これは各垂れの重なり具合を把握しやすいように描いたもので、必ずしも横垂れ１３を短めに構成する必要はない。また、前垂れ１１、後垂れ１２および横垂れ１３を、図３の方形に対し、図４、図５では台形に描いているが、これは縫いによる絞りを考慮して図示したものである。縫い目は、縫い方によって外観に表れないように隠すことができる。
【００２１】
以上説明した本実施形態によれば、スカートが股部１に配置した着脱部３を覆うので、外観上着脱部３を隠すことができる。また、複数の垂れの合間において水抵抗を逃がすので、水に入ってもスカートが容易に浮き上がらないようになり、かつ、隣り合う垂れの端部を重ねることにより、隙間をなくし、股部１をしっかり覆うことができる。
【００２２】
また、スカートを複数の段で構成することにより、各段の暖簾の長さを短めにしつつ、水着の下端までを覆うことができ、１段の長い暖簾で構成した場合に比べ、水抵抗の影響を受けにくくなり、スカートの持ち上がりを更に抑えることができ、かつ、水着のデザインも洗練することができる。
【００２３】
さて、以上は水着に暖簾状スカートを縫付ける実施形態を説明したが、既存の水着に、スカートだけを後から付けたいというニーズも考えられる。その場合、例えば腹巻き状の伸縮性のある環状基台に、上記の暖簾状スカートを縫付け、当該環状基台を水着の上から着るようにしてもよい。
【００２４】
以上は水着用スカートの一例であり、本願考案である股部の着脱部を隠すためのスカートは、その目的を達するスカートであれば構造を問わない。
【符号の説明】
【００２５】
１  股部
２  切断部
３  着脱部
４  股布
１１  前垂れ
１２  後垂れ
１３  横垂れ
Ｍ  水着
【図１】
0003167816.tif 000003
【図２】
0003167816.tif 000004
【図３】
0003167816.tif 000005
【図４】
0003167816.tif 000006
【図５】
0003167816.tif 000007